(57)【要約】炭素材が放射する遠赤外線により健康増進効果を奏し得るメガネ１，１Ａは、テンプル２０，２０Ａ，２０Ｂと鼻パッド１０，１０Ａ，１０Ｂの少なくとも一つにおける、皮膚に接触する部位１１，１１Ａ，２４，２４Ａを、等方性高密度炭素材又は炭素繊維強化炭素複合材料で構成したことを特徴とする。
2018066157.tif 000002
【特許請求の範囲】
【請求項１】
テンプルと鼻パッドの少なくとも一つにおける、皮膚に接触する部位を、等方性高密度炭素材又は炭素繊維強化炭素複合材料で構成したことを特徴とするメガネ。
【請求項２】
請求項１において、
前記皮膚に接触する部位を除いた残余の部位を、粒子状の炭素材を２０〜５０重量％含有した熱可塑性樹脂で構成したことを特徴とするメガネ。
【請求項３】
請求項１または請求項２において、
前記皮膚に接触する部位は、該部位を除いた前記残余の部位に取り付けられるように、該残余の部位とは別体として形成されていることを特徴とするメガネ。
【請求項４】
請求項１において、
前記テンプルと鼻パッドの少なくとも一つは、その略全体が、前記皮膚に接触する部位と同一の材料で一体的に構成されていることを特徴とするメガネ。
【請求項５】
請求項１〜４のいずれか１項において、
前記皮膚に接触する部位は、その表面が梨地状とされていることを特徴とするメガネ。
【請求項６】
請求項１〜５のいずれか１項において、
前記皮膚に接触する部位は、その表面に突起が設けられていることを特徴とするメガネ。
【請求項７】
請求項１〜６のいずれか１項において、
前記テンプルと鼻パッドの少なくとも一つには、磁石が設けられていることを特徴とするメガネ。
【発明の詳細な説明】
【技術分野】
【０００１】
本発明は、炭素材で構成した部位を有したメガネに関する。
【背景技術】
【０００２】
従来より、遠赤外線を放射するメガネが種々提案されている。
例えば、下記特許文献１では、メガネのメガネフレームの前面部となるフロント本体部を、炭素繊維を主体とする素材で一体成形することにより、この炭素繊維から遠赤外線が放射される構成としている。なお、このフロント本体部は、平織炭素繊維にエポキシ樹脂で作成したプリプレグを積層し加熱成形してなる。
【先行技術文献】
【特許文献】
【０００３】
【特許文献１】特開２０１１−９０２０１号公報
【発明の概要】
【発明が解決しようとする課題】
【０００４】
しかしながら、このメガネでは、遠赤外線を放射する炭素繊維の素材で構成されているのはフロント本体部のみであり、しかも、フロント本体部は皮膚に接触しない部位であるので、当該メガネを掛けたとしても、遠赤外線作用による十分な健康増進効果は奏し難いものと考えられる。従って更なる改良が望まれる。【０００５】
本発明は、上記実情に鑑みて提案されたものであり、その目的は、炭素材が放射する遠赤外線により健康増進効果を奏し得るメガネを提供することにある。
【課題を解決するための手段】
【０００６】
上記目的を達成するために、本発明に係るメガネは、テンプルと鼻パッドの少なくとも一つにおける、皮膚に接触する部位を、等方性高密度炭素材又は炭素繊維強化炭素複合材料で構成したことを特徴とする。【０００７】
上記目的を達成するために、本発明に係るメガネは、テンプルと鼻パッドの少なくとも一つにおける、皮膚に接触する部位を除いた残余の部位を、粒子状の炭素材を２０〜５０重量％含有した熱可塑性樹脂で構成したことを特徴とする。【０００８】
また、本発明においては、前記皮膚に接触する部位は、該部位を除いた前記残余の部位に取り付けられるように、該残余の部位とは別体として形成されているものとしてもよい。【０００９】
さらに、本発明においては、前記テンプルと鼻パッドの少なくとも一つは、その略全体が、前記皮膚に接触する部位と同一の材料で一体的に構成されているものとしてもよい。【００１０】
さらにまた、本発明においては、前記皮膚に接触する部位は、その表面が梨地状とされているものとしてもよい。【００１１】
さらに、本発明においては、前記皮膚に接触する部位は、その表面に突起が設けられているものとしてもよい。【００１２】
さらにまた、本発明においては、前記テンプルと鼻パッドの少なくとも一つには、磁石が設けられているものとしてもよい。
【発明の効果】
【００１３】
本発明のメガネは、上述のような構成としたことで、炭素材が放射する遠赤外線により健康増進効果を奏し得ることが可能となる。
【図面の簡単な説明】
【００１４】
【図１】（ａ）は、本発明の第１実施形態に係るメガネの斜視図、（ｂ）は、当該メガネの着用状態を示した側面図である。
【図２】（ａ）は、図１（ａ）のＸ部の拡大図であり、当該メガネの鼻パッドの側面図、（ｂ）は、当該鼻パッドのＡ−Ａ線における断面図、（ｃ）は、当該鼻パッドの変形例のＡ−Ａ線における断面図である。
【図３】（ａ）は、図１（ａ）のＹ部の拡大図であり、当該メガネのテンプルの側面図、（ｂ）は、当該テンプルのＢ−Ｂ線における断面図、（ｃ）は、当該テンプルの変形例のＢ−Ｂ線における断面図である。
【図４】（ａ）は、本発明の第２実施形態に係るメガネの鼻パッドの側面図、（ｂ）は、当該鼻パッドのＡ−Ａ線における断面図、（ｃ）は、当該メガネのテンプルの側面図、（ｄ）は、当該テンプルのＢ−Ｂ線における断面図である。
【図５】（ａ）は、本発明の第３実施形態に係るメガネの鼻パッドの側面図、（ｂ）は、当該鼻パッドのＡ−Ａ線における断面図、（ｃ）は、当該メガネのテンプルの側面図、（ｄ）は、当該テンプルのＢ−Ｂ線における断面図である。
【発明を実施するための形態】
【００１５】
以下に、本発明の第１実施形態に係るメガネについて、図面を参照しながら説明する。
本実施形態に係るメガネ１は、図１（ａ）及び（ｂ）に示すように、左右のレンズ３，３と、これらレンズ３，３が取り付けられるレンズフレーム２と、鼻パッド１０と、一対のテンプル２０，２０と、を備えている。
【００１６】
鼻パッド１０は、皮膚（顔面）に接触する一対の略円盤形状の部位からなり、レンズフレーム２に取り付けられている。
一対のテンプル２０，２０は、レンズフレーム２の両端に、蝶番（不図示）を介して、折り畳み自在に連結されている。
各テンプル２０は、レンズフレーム２に連結される棒状のツル本体２１と、該ツル本体２１の端部に連なる湾曲形状の耳掛け部２２と、からなる。耳掛け部２２は、図１（ｂ）に示すように、その全体が、耳の付け根に沿うように湾曲した形状となっており、その開放端部に、略円盤形状の耳側端部２３が設けられており、該耳側端部２３は、耳の付け根の下方側まで延びている。
【００１７】
メガネ１としては、種々の構成のものとしてもよく、レンズ３，３を有さないメガネとしてもよい。また、レンズ３，３は、度入り、度なしのいずれでもよく、サングラスとしてもよい。さらに、通信機能や、動画・音楽視聴機能などを備えたメガネ型のウェアラブル端末などとしてもよい。
【００１８】
当該メガネ１は、図１（ｂ）に示すように、頭部に装着された状態において、テンプル２０のツル本体２１の一部が、側頭部に接触し、耳掛け部２２の略全体が、耳の付け根や耳たぶ、及びその近傍部位に接触する。また、耳側端部２３は、耳の付け根や耳たぶ、及びその近傍部位（動脈が位置する皮膚を含む）に接触する。また、鼻パッド１０は、鼻梁や鼻根、顔面における目頭の下側の部位や頬に接触する。
【００１９】
本実施形態では、当該メガネ１は、図２（ａ）及び（ｂ）、図３（ａ）及び（ｂ）に示すように、テンプル２０と鼻パッド１０の少なくとも一つにおける、皮膚に接触する部位２４，１１を、等方性高密度炭素材で構成している。
【００２０】
以下に、鼻パッド１０の構成について説明する。
鼻パッド１０は、図１（ａ）及び（ｂ）、図２（ａ）及び（ｂ）に示すように、メガネ１の装着時において、その皮膚に対面する側に、皮膚に接触する部位１１を有し、その反対側（皮膚に対面しない側）に、当該皮膚に接触する部位１１を除いた残余の部位１４を有している。
鼻パッド１０における皮膚に接触する部位１１は、メガネ１の装着時において、鼻梁や鼻根、顔面における目頭の下側の部位や頬などに接触する部位である。
【００２１】
本実施形態では、図２（ｂ）に示すように、鼻パッド１０の皮膚に接触する部位１１と残余の部位１４とを互いに別体として形成し、皮膚に接触する部位１１が残余の部位１４に取り付けられる構成となっている。
これら皮膚に接触する部位１１及び残余の部位１４は、いずれも略円盤形状であり、皮膚に接触する部位１１は、残余の部位１４の皮膚に接触する部位１１側の面部の略全体を覆う形状とされている。皮膚に接触する部位１１は、残余の部位１４に対して、互いの厚さ方向が一致するように重ね合わせられて取り付けられている。
残余の部位１４は、樹脂や金属、木材などで構成してもよく、後述する粒子状の炭素材を含有した熱可塑性樹脂で構成されてもよい。また、残余の部位１４としては、これらの材料で構成された鼻パッドの既製品としてもよく、この鼻パッドの既製品に対して皮膚に接触する部位１１が取り付けられる構成としてもよい。
【００２２】
等方性高密度炭素材とは、ＣＩＰ材（ＣＩＰとは、Ｃｏｌｄ  Ｉｓｏｓｔａｔｉｃ  Ｐｒｅｓｓ（冷間静水圧プレス）の略である）、又は等方性黒鉛とも呼ばれる。この等方性高密度炭素材は、原料をゴム製の容器に入れて、６面を等圧でプレスすることにより製造される。従って、力が均一に掛かるので、どの面も強度にバラツキが少なく、きめが細かく、他の成形方法と比べて機械的特性に優れた材料となる。
【００２３】
この等方性高密度炭素材は、具体的には、以下のようにして製造してもよい。
まず、黒鉛などの炭化物の粒子状の炭素材料に、フェノール系接着剤、及びピッチ又はタールなどのバインダを５重量％程度加えて、弾性を有する型（例えば、ゴム製の型）に充填する。当該型は、本実施形態で言えば、鼻パッド１０の皮膚の接触する部位１１の形状となる製造物を得ることのできる型である。そして、その型をシールし、圧力容器内に水没させて圧力媒体である水で加圧する。こうすることにより、炭素材料が全方向より等圧的に加圧されるので、ランダムに配向し等方性（異方比１．０〜１．１）の塊が生成される。その後、型から取り出した炭素材料の塊を、酸素を欠乏させた状態で加熱し、最終的に２０００〜３０００℃程度で焼成する。焼成の途中、フェノール成分や、ピッチ又はタールは昇温途中の約１２００℃程度で揮発するので、炭素材料は結晶化（黒鉛化）し、炭素純度が９０％以上である高密度で整った結晶構造となる。これにより、等方性高密度炭素材によって構成された鼻パッド１０の皮膚に接触する部位１１が製造される。
なお、鼻パッド１０の皮膚に接触する部位１１としては、まず上記工程によって結晶構造を有する等方性高密度炭素材からなる原素材を製造し、この原素材に対して削り出し加工を施すことにより製造してもよい。
【００２４】
等方性高密度炭素材は、熱伝導率が高く、外部の熱や光などの形で吸収したエネルギーにより多量の遠赤外線を放射する素材である。
従って、メガネ１の装着時に、鼻パッド１０の皮膚に接触する部位１１に含まれる等方性高密度炭素材が人体の体温で加熱され、人体の組織と共鳴して、遠赤外線を放射し、これにより、人体の深奥部が加熱され、血流が促進され、健康増進効果を奏する。
また、このように鼻パッド１０の皮膚に接触する部位１１を熱伝導率の高い等方性高密度炭素材で構成しているので、等方性高密度炭素材が接触した皮膚の熱が、等方性高密度炭素材へ吸収され易くなり、皮膚が冷やされ、メガネ１の装着時において清涼感をもたらすことができる。
なお、鼻パッド１０における皮膚に接触する部位１１の全体を、等方性高密度炭素材で構成してもよいし、当該部位１１における一部のみを等方性高密度炭素材で構成してもよい。
【００２５】
皮膚に接触する部位１１は、図２（ｂ）に示すように、粘着剤１６を用いて残余の部位１４に取り付けるようにしてもよい。粘着剤１６としては、ゴム系やアクリル系、シリコーン系などのものを用いてもよい。
また、粘着剤１６が表裏両面に塗布された粘着シートを用いて、皮膚に接触する部位１１を残余の部位１４に取り付けるようにしてもよい。このような粘着シートのベースとなる生地としては、不織布などの布製シートを用いてもよい。
このような粘着剤１６としては、一旦残余の部位１４に取り付けた皮膚に接触する部位１１を、残余の部位１４から取り外して、かつ再度残余の部位１４に取り付けることが可能なものを用いてもよい。このような粘着剤１６を用いれば、皮膚に接触する部位１１を残余の部位１４に対して着脱自在とすることができるので、これら部位を新しいものに取り替えることが容易となる。
なお、上記粘着剤１６に代えて、液体状やゲル状、固体状の接着剤を用いてもよく、このような接着剤としては、例えば、エポキシ樹脂系や合成ゴム系、ホットメルト系のものなどを用いてもよい。このような接着剤としては、一旦残余の部位１４に取り付けた皮膚に接触する部位１１を、残余の部位１４から取り外して、かつ再度残余の部位１４に取り付けることが可能なものを用いてもよいし、一旦接着させた後は取り外しが不可能なものを用いてもよい。
【００２６】
また、上記の態様に代えて、皮膚に接触する部位１１と残余の部位１４とを、種々の固定具を用いて固定するようにしてもよい。このような固定具としては、例えば、ステープラーやビス、リング状のゴム材などを用いてもよい。
または、皮膚に接触する部位１１に、残余の部位１４を挟持する挟持部を設け、この挟持部が残余の部位１４を挟持することにより、皮膚に接触する部位１１が残余の部位１４に取り付けられる構成としてもよい。このような挟持部としては、残余の部位１４の幅方向両端を挟持する構成のものとしてもよく、皮膚に接触する部位１１の幅方向両端に設けてもよい。
なお、これら上記の態様においては、皮膚に接触する部位１１を残余の部位１４に対して着脱自在に取り付ける構成のものとしてもよい。
【００２７】
本実施形態では、図２（ｂ）に示すように、鼻パッド１０における皮膚に接触する部位１１の表面１２を梨地状としている。
梨地状とは、複数の微小な凹凸が物体の表面に形成された状態を言い、物体表面に梨地加工が施されることにより梨地が形成され、梨地状となる。鼻パッド１０の皮膚に接触する部位１１の表面１２に対して、このような梨地加工を施すことにより、該表面１２に梨地が形成される。
梨地加工としては、砂や鉄、ガラスなどの、いわゆるメディアを、空気と混合させ、圧力を加えて物体表面にぶつけるサンドブラストや、上記メディアを水と混合させて物体表面にぶつける液体ホーニング、などの種々の方法を用いてもよい。
なお、梨地状とする箇所は、鼻パッド１０の皮膚に接触する部位１１の表面１２の全体を梨地状としてもよいし、その一部を梨地状としてもよい。
このように梨地状とした表面１２は、皮膚への接触面積が小さくなっているので、表面がサラサラした質感を有する。これにより、鼻パッド１０の滑り止めの効果を奏するとともに、メガネ１を掛けた際の皮膚への接触の感触が心地良くなり、また、鼻パッド１０の皮膚への接触面が皮膚にまとわり付く感触を低減させることができる。さらに、指紋などの汚れを目立ち難くさせる効果も有する。
【００２８】
また、本実施形態では、図２（ｂ）に示すように、鼻パッド１０の皮膚に接触する部位１１の表面１２に突起１３，１３を設けている。
図例では、略半球形状の互いに略同形状・同サイズの二つの突起１３，１３を、皮膚に接触する部位１１の表面１２に設けた例を示している。突起１３の高さ寸法（表面１２からの突出寸法）は、例えば、１ｍｍ〜３ｍｍ程度としてもよい。なお、突起１３はひとつでもよく、その形状や形成箇所、サイズ、個数などは、図例のものに限られず、種々の構成としてもよい。例えば、突起１３の形状を、略円錐形状としたり、略多角柱形状や略円柱形状などとしてもよい。また、突起１３の突出先端の角を丸く形成したり、尖らせたりしてもよい。突起１３の形成位置は、皮膚を押圧し刺激して心地よいと感じる位置に形成されるのが望ましく、例えば鼻のツボを刺激するような位置に（例えば晴明等）形成するようにしてもよい。これによれば、突起１３によってツボが刺激され眼精疲労や鼻づまり改善に効果を発揮する。
これら突起１３，１３は、等方性高密度炭素材で構成された皮膚に接触する部位１１の表面１２に対して削り加工を施すことにより形成するようにしてもよい。または、上述したような弾性を有する型を用いて形成してもよい。
このように突起１３，１３を等方性高密度炭素材で構成した場合は、突起１３，１３が人体の体温で加熱され、人体の組織と共鳴して、遠赤外線を放射する。これにより、より一層、人体の深奥部が加熱され、血流が促進され、健康増進効果を奏する。また、このように突起１３，１３を熱伝導率の高い等方性高密度炭素材で構成すれば、皮膚の熱が、等方性高密度炭素材へ吸収され易くなり、皮膚が冷やされ、メガネ１の装着時において清涼感をもたらすことができる。
【００２９】
また、本実施形態では、図２（ｂ）に示すように、鼻パッド１０に磁石１５を設けている。本実施形態では、磁石１５を、残余の部位１４における皮膚とは反対側の面部に埋め込んだ例を示している。磁石１５は、該面部に形成した凹所内に埋め込まれ、粘着剤や接着材などを用いてそこに固定される。
磁石１５としては、永久磁石を用いてもよい。永久磁石としては、ネオジウム、鉄、ホウ素を主成分とするレアアース磁石、サマリウムコバルト磁石等を用いてもよく、その中で、望ましくは、強い磁力を有するネオジウム磁石を用いる。鼻パッド１０に設ける磁石１５の総磁束密度を例えば３５〜２００ミリステラとすれば、医療機器とすることができる可能性がある。
このように磁石１５を設けたものとすれば、磁石１５からの磁力により、上述の効果に加え、身体のコリの解消や血流の促進効果等を図ることができる。
またこのように、磁石１５を前記面部に埋め込み固定すれば、磁石１５を残余の部位１４内に強固に固定することができるとともに鼻パッド１０として見栄えがよいものとすることができる。
なお、磁石１５を、粘着剤や接着剤を用いて残余の部位１４に対して着脱自在に固定するようにしてもよい。
【００３０】
次に、本実施形態に係る鼻パッド１０の変形例（１０Ａ）について説明する。
なお、前述した図２（ｂ）との相違点を主に説明することとし、図２（ｂ）と同一の符号を付した箇所は説明を省略するか又は簡略化する。
本変形例に係る鼻パッド１０Ａは、図２（ｃ）に示すように、磁石１５Ａを、残余の部位１４Ａにおける皮膚とは反対側の面部に埋め込むのではなく、該面部全域（全面）に貼着させている点が前記図２（ｂ）の例とは異なる。この場合、磁石１５Ａの領域を図２（ｂ）の例より広く確保することができる。
この磁石１５Ａは、粘着剤や接着材などを用いて当該面に貼着してもよく、粘着剤や接着材としては、磁石１５Ａを当該面部に対して着脱自在となるように貼着可能なものを用いてもよい。このような粘着剤や接着材を用いれば、磁石１５Ａを新しいものなどに取替えることが容易となる。
なお、図２（ｃ）に示すように、上記した鼻パッド１０と同様に、皮膚に接触する部位１１の表面１２に梨地や突起１３を形成してもよい。
この変形例においても、上述の図２（ｂ）と同様の効果を得ることができる。
【００３１】
次にテンプル２０の構成について説明する。
テンプル２０は、図１（ａ）、図３（ａ）及び（ｂ）に示すように、メガネ１の装着時において皮膚に対面する側に、皮膚に接触する部位２４を有し、その反対側（皮膚に対面しない側）に、当該皮膚に接触する部位２４を除いた残余の部位２７を有している。
図３（ａ）および（ｂ）では、テンプル２０の耳掛け部２２及び耳側端部２３のみを示しており、これら耳掛け部２２及び耳側端部２３を、皮膚に接触する部位２４及び残余の部位２７を有したものとした例を示している。
テンプル２０における皮膚に接触する部位２４は、メガネ１の装着時において、テンプル２０のツル本体２１における側頭部に接触する部位や、耳掛け部２２における耳の付け根や耳たぶ、及びその近傍部位に接触する部位、耳側端部２３における耳の付け根や耳たぶ、及びその近傍部位（動脈が位置する皮膚を含む）に接触する部位などである。
【００３２】
本実施形態では、図３（ｂ）に示すように、テンプル２０の皮膚に接触する部位２４と残余の部位２７とを互いに別体として形成し、皮膚に接触する部位２４が残余の部位２７に取り付けられる構成となっている。
皮膚に接触する部位２４は、残余の部位２７の皮膚に接触する部位２４側の面部の略全体を覆う形状とされている。皮膚に接触する部位２４は、残余の部位２７に対して、互いの厚さ方向が一致するように重ね合わせられて取り付けられている。
残余の部位２７は、樹脂や金属、木材などで構成してもよく、後述する粒子状の炭材料を含有した熱可塑性樹脂で構成されてもよい。また、残余の部位２７としては、これらの材料で構成されたテンプルの既製品としてもよく、このテンプルの既製品に対して皮膚に接触する部位２４が取り付けられる構成としてもよい。
皮膚に接触する部位２４は、図３（ｂ）に示すように、粘着剤２９を用いて残余の部位２７に取り付けるようにしてもよいし、粘着剤２９が表裏両面に塗布された粘着シートを用いて、残余の部位２７に取り付けるようにしてもよい。このような粘着シートのベースとなる生地としては、不織布などの布製シートを用いてもよい。
【００３３】
また、テンプル２０の皮膚に接触する部位２４を、複数の構成パーツに分割し、それらの裏面（皮膚とは反対側の面）に粘着シートを貼着してこれら構成パーツを連結するようにしてもよい。これにより、各構成パーツがそれぞれに対して可動に連結されているので、この皮膚に接触する部位２４を、粘着シートを介してテンプル２０に取り付けた状態では、各構成パーツが、テンプル２０の撓りに対して追従することができるので、テンプル２０の撓りが許容されるとともに、この皮膚に接触する部位２４の破損が回避される。
【００３４】
また、粘着剤２９に代えて、接着剤や固定具を用いてもよい。粘着剤２９や接着剤、固定具の種類や、皮膚に接触する部位２４を取り外した後に残余の部位２７へ再度取り付けることが可能なものとする特徴点については、上記した鼻パッド１０，１０Ａと同様の態様としてもよい。また、皮膚に接触する部位２４に、残余の部位２７を挟持する挟持部を設け、皮膚に接触する部位２４が残余の部位２７に取り付けられる構成としてもよく、皮膚に接触する部位２４を残余の部位２７に対して着脱自在に取り付ける構成とする態様については、上記した鼻パッド１０，１０Ａと同様としてもよい。
【００３５】
または、テンプル２０の残余の部位２７の末端側（レンズ３とは反対側の端部の側）の部位を、金属などで構成した細棒状体とし、皮膚に接触する部位２４の棒状部位の内部に、長手方向に沿うように残余の部位２７の細棒状体が挿入される挿入孔を設け、残余の部位２７の細棒状体を皮膚に接触する部位２４の挿入孔に挿入することにより、皮膚に接触する部位２４を残余の部位２７に取り付けるようにしてもよい。
これにより、皮膚に接触する部位２４を残余の部位２７から容易に着脱させることができるので、これら新しいものへの取替えが容易となる。また、バリエーションに富んだ種々の構成の皮膚に接触する部位２４を取り揃えておけば、細棒状体を有した残余の部位２７を備えた既製品のメガネ１に対して、状況に応じて所望のものを適宜選択して取り付けることができるので、ファッション性を高めることができる。
なお、上記細棒状体を皮膚に接触する部位２４に設け、挿入孔を残余の部位２７に設けてもよい。
【００３６】
なお、テンプル２０のツル本体２１も、耳掛け部２２及び耳側端部２３と同様に、皮膚に接触する部位２４及び残余の部位２７を設けた構成としてもよい。
また、テンプル２０における皮膚に接触する部位２４の全体を、等方性高密度炭素材で構成してもよいし、当該部位２４の一部のみを等方性高密度炭素材で構成してもよい。
また、皮膚に接触する部位２４を等方性高密度炭素材にて構成する製造方法は、上記した鼻パッド１０，１０Ａと同様の方法を用いてもよい。
【００３７】
また、本実施形態では、図３（ｂ）に示すように、テンプル２０における皮膚に接触する部位２４の表面２５を梨地状としている。このように梨地状とした表面２５は、皮膚への接触面積が小さくなっているので、表面がサラサラした質感を有する。これにより、テンプル２０の滑り止めの効果を奏するとともに、メガネ１を掛けた際の皮膚への接触の感触が心地良くなり、また、テンプル２０部分の皮膚への接触面が皮膚にまとわり付く感触を低減させることができる。さらに、指紋などの汚れを目立ち難くさせる効果も有する。
なお、当該表面２５の全体を梨地状としてもよいし、その一部を梨地状としてもよい。また、上記鼻パッド１０と同様の方法にて、該表面２５に梨地加工を施してもよい。
さらに、本実施形態では、図３（ｂ）に示すように、テンプル２０の皮膚に接触する部位２４の表面２５に突起２６を設けている。
図例では、略半球形状の一つの突起２６を、皮膚に接触する部位２４の表面２５に設けた例を示している。突起２６の高さ寸法（表面２５からの突出寸法）は、例えば、１ｍｍ〜８ｍｍ程度としてもよい。なお、突起２６の形状や形成箇所、サイズ、個数などは、図例のものに限られず、種々の構成としてもよい。例えば、突起２６の形状を、略円錐形状としたり、略多角柱形状や略円柱形状などとしてもよい。また、突起２６の突出先端の角を丸く形成したり、尖らせたりしてもよい。突起２６の形成位置は、皮膚を押圧し刺激して心地よいと感じる位置に形成されるのが望ましく、例えば、耳のツボ、翳風（えいふう）を刺激するように突起２６を形成すれば、突起２６でツボを押圧することで、顔のむくみ、くすみ、耳の疾患、めまい等に効果的に作用することが期待できる。また耳のツボ、耳門を刺激するように突起２６を形成すれば、突起２６でツボを押圧することで、頭痛の緩和、眼精疲労等に効果的に作用することが期待できる。
また、突起２６は、等方性高密度炭素材で構成された皮膚に接触する部位２４の表面２５に対して削り加工を施すことにより形成するようにしてもよい。または、上述したような弾性を有する型を用いて形成してもよい。
このように突起２６を等方性高密度炭素材で構成した場合は、突起２６が人体の体温で加熱され、人体の組織と共鳴して、遠赤外線を放射する。これにより、より一層、人体の深奥部が加熱され、血流が促進され、健康増進効果を奏する。また、このように突起２６を熱伝導率の高い等方性高密度炭素材で構成すれば、皮膚の熱が、等方性高密度炭素材へ吸収され易くなり、皮膚が冷やされ、メガネ１の装着時において清涼感をもたらすことができる。
【００３８】
また、本実施形態では、図３（ｂ）に示すように、テンプル２０に磁石２８を設けている。本実施形態では、磁石２８を残余の部位２７における皮膚とは反対側の面部に埋め込んだ例を示している。磁石２８は、該面部に形成した凹所内に埋め込まれ、粘着剤や接着材などを用いてそこに固定される。磁石２８としては、上記した磁石１５と同様のものを用いてもよく、磁石２８の固定態様も上記同様にしてもよい。このように磁石２８を設けたものとすれば、磁石２８からの磁力により、上述の効果に加え、身体のコリの解消や血流の促進効果等を図ることができる。
【００３９】
次に、本実施形態に係るテンプル２０の変形例（２０Ａ）について説明する。
なお、前述した図３（ｂ）との相違点を主に説明することとし、図３（ｂ）と同一の符号を付した箇所は説明を省略するか又は簡略化する。
図３（ｃ）には、本変形例に係るテンプル２０Ａの耳掛け部２２Ａの断面図を示している。
本変形例に係る耳掛け部２２Ａは、図３（ｃ）に示すように、磁石２８Ａを、残余の部位２７Ａにおける皮膚とは反対側の面部に埋め込むのではなく、該面部全域（全面）に貼着させている点が前記図３（ｂ）の例とは異なる。この場合、磁石２８Ａの領域を図３（ｂ）の例より広く確保することができる。
この磁石２８Ａは、粘着剤や接着材などを用いて当該面に貼着してもよく、粘着剤や接着材としては、磁石１５Ａを当該面部に対して着脱自在となるように貼着可能なものを用いてもよい。このような粘着剤や接着材を用いれば、磁石２８Ａを新しいものなどに取替えることが容易となる。
なお、上記磁石２８，２８Ａをテンプル２０，２０Ａに設ける箇所は限定されず、ツル本体２１や耳掛け部２２，２２Ａ、耳側端部２３の所望の箇所に設けてもよい。
また、磁石２８，２８Ａは、テンプル２０，２０Ａの残余の部位２７，２７Ａの所望の部位に設けてもよく、また、皮膚に接触する部位２４における所望の部位、例えば、突起２６の内部や突起２６以外の部位に設けてもよい。
この変形例においても、上述の図３（ｂ）と同様の効果を得ることができる。
【００４０】
テンプル２０，２０Ａやレンズフレーム２、鼻パッド１０，１０Ａにおける表面にＤＬＣコーティング層を形成してもよい。ＤＬＣコーティング層は、これらにおける残余の部位１４，１４Ａ，２７，２７Ａの表面や、皮膚に接触する部位１１，２４の表面１２，２５に形成してもよい。
ＤＬＣコーティング層は、対象物の表面に、主に炭素と水素で構成されるＤＬＣ（Ｄｉａｍｏｎｄ−Ｌｉｋｅ  Ｃａｒｂｏｎ）がコーティング（被覆）されることにより形成される。ＤＬＣコーティング層は、ナノレベルの薄さの膜でありながらも、硬質であり、低摩耗・高湿潤性を有する。
ＤＬＣコーティング層の層厚は、例えば、５ｎｍ〜１０μｍ程度としてもよい。
【００４１】
ＤＬＣコーティング層を形成する前に、対象物の表面に微粒子を投射し複数の微小な凹凸を形成する処理を施してから、この処理面に対してＤＬＣをコーティングしてＤＬＣコーティング層を形成してもよい。これにより、ＤＬＣの対象物への密着度が高くなり、ＤＬＣコーティング層が対象物から剥離し難くなる。
【００４２】
また、ＤＬＣコーティング層を形成する前に、対象物の表面に色素を塗布する処理を行なってから、この処理面に対してＤＬＣをコーティングしてＤＬＣコーティング層を形成してもよい。
色素としては、例えば、種々の色相を有する染料、顔料などを用いてもよい。また、色素の塗布方法としては、スプレー噴射による塗布や、刷毛などを用いた塗布、など種々の方法を用いてもよい。
なお、この色づけ処理は、上記した対象物表面に対する微小凹凸の形成処理を施さずに行なってもよい。または、対象物に対して微小凹凸の形成処理を施してから、その処理面に対して色づけ処理を行なってもよいし、対象物に対して色づけ処理を行なってから、その処理面に対して微小凹凸の形成処理を施してもよい。
また、ＤＬＣコーティング層を皮膚に接触する部位１１，２４の表面１２，２５に形成する場合は、梨地や突起１３，２６が形成された表面１２，２５に対してＤＬＣコーティング層を形成してもよい。この場合、ＤＬＣコーティング層を介して皮膚が表面１２，２５に接触した場合に、ＤＬＣコーティング層の下に形成された梨地や突起１３，２６の質感が十分皮膚に伝わるように、ＤＬＣコーティング層の厚さを設定するようにしてもよい。
また、梨地や突起１３，２６が形成された表面１２，２５に対して色素を塗布し、その上にＤＬＣコーティング層を形成してもよい。
また、ＤＬＣコーティング層によって、梨地や突起１３，２６を形成するようにしてもよい。
【００４３】
メガネ１の装着時に外部に露出する部位に対して、上記ＤＬＣコーティング層を形成したり、色付け処理を行なったりすれば、ファッション性などを付与することができる。
すなわち、色づけ処理及びＤＬＣコーティング層の形成処理を行なうことにより、ＤＬＣコーティング層の下層の色素層が、ＤＬＣコーティング層を介在させた状態で外部から視認される。従って、色素層の色相と、ＤＬＣコーティング層の透明度や色相と、が相俟って、玉虫色や単色、艶消しの黒色などのバリエーションに富んだ色合いを醸し出すことができ、メガネ１のファッション性・芸術性を高めることができる。
なお、ＤＬＣコーティング層の透明度は、光透過度の大小を調整することにより、高透明、中透明、半透明などの各グレードに設定してもよく、また、その色相は種々のものに設定してもよい。
【００４４】
また、対象物の表面にイオンプレーティング処理を施して色付けを行なってもよい。イオンプレーティング処理とは、窒素などのガスと、チタンなどの金属を用いた表面処理方法の一つであり、真空中で放電を起してプラズマを発生させ、そこに、チタンなどの金属を蒸発させてその粒子をイオンにして加速させ、対象物表面に薄い皮膜を形成するものである。高真空中での処理ゆえ、緻密で密着性の高い薄膜を形成することができる。膜としては、チタンと窒素を用いる場合には窒化チタンの膜が形成される。この膜の色相は金色である。その他、窒素ガスの比率を変化させることでシルバーからブラウンまで幅広い色相を出すことができる。また、チタン以外の金属、及び窒素以外のガスを用いれば、グレー、ブルー、ピンクなど、様々な色相を出すこともできる。
【００４５】
このイオンプレーティング処理は、上記したＤＬＣコーティング層の形成に代えて行なってもよい。または、対象物に対してイオンプレーティング処理を施した後にＤＬＣコーティング層を形成してもよいし、ＤＬＣコーティング層の形成後にイオンプレーティング処理を施してもよい。または、対象物の一部にＤＬＣコーティング層を形成し、別の部位にイオンプレーティング処理を施すようにしてもよい。また、イオンプレーティング処理によって、皮膚に接触する部位２４，１１の表面１２，２５に梨地や突起１３，２６を形成してもよい。
【００４６】
以上では、テンプル２０（２０Ａ）と鼻パッド１０（１０Ａ）の少なくとも一つにおける、皮膚に接触する部位２４，１１を、等方性高密度炭素材で構成する例を説明したが、これに変えて、炭素繊維強化炭素複合材料（以下、Ｃ／Ｃコンポジットと称する）で構成してもよい。
Ｃ／Ｃコンポジットとは、炭素を炭素繊維で強化したものである。その製造方法としては、例えば、炭素繊維とプラスティック（主に熱硬化性のもの）とによる繊維強化複合材である炭素繊維強化プラスチック（ＣＦＲＰ）を成形硬化後、不活性雰囲気の中で熱処理し、母材のプラスチックを炭化させて製造するようにしてもよい。なお、Ｃ／ＣコンポジットのＣ／Ｃとは、Ｃａｒｂｏｎ  Ｆｉｂｅｒ  Ｒｅｉｎｆｏｒｃｅｄ  Ｃａｒｂｏｎの略語である。
【００４７】
具体的には、以下のようにしてＣ／Ｃコンポジットを製造してもよい。
まず種々の成形法にて、炭素繊維を芯材にしたフェノール樹脂成形物（ＣＦＲＰ）を製造し、それを真空中で１０００℃〜２３００℃で焼成して、フェノール樹脂の部分を炭化させる。これにより炭素繊維の周囲がフェノール樹脂が炭化してできたカーボンで囲まれた状態のものが得られる。このとき、フェノール樹脂の中の炭素以外の成分（水素、酸素など）は気化して消失するので、フェノール樹脂が炭化したカーボンの中には多数の気泡が生成されている。この気泡を埋めるべく、この焼成済みのものをフェノール樹脂液に浸し加圧含浸させ、その後、焼成炭化する。これにより、本実施形態で言えば、テンプル２０，２０Ａや鼻パッド１０，１０Ａの皮膚に接触する部位２４，１１の材料となるＣ／Ｃコンポジットが得られる。このようにして得られたＣ／Ｃコンポジットに削り出し加工を施して、所望の形状を有する皮膚に接触する部位２４，１１を製造するようにしてもよい。
【００４８】
Ｃ／Ｃコンポジットは、軽量であり、強度や弾性力が高いので、撓み難く、磨耗し難く、割れ・欠けが発生し難い。さらに、耐熱性も有する。なお、炭素繊維強化プラスチックやガラス繊維強化プラスチックなどと比較して、より軽量でかつ強度が高い。
従って、皮膚に接触する部位１１，２４を構成する素材としてＣ／Ｃコンポジットを用いることにより、当該部位を肉薄に製造することができるとともに、製品の寿命を長くすることができる。
また、Ｃ／Ｃコンポジットは熱伝導性が高いので、テンプル２０，２０Ａや鼻パッド１０，１０Ａが接触する鼻や顔面などの部位が発する熱を吸収して放熱する作用があり、清涼感をもたらし、メガネ１の掛け心地が良好になる。また、Ｃ／Ｃコンポジットは導電性を有するので静電気の発生を緩和することができる。
【００４９】
さらに、炭素材であるＣ／Ｃコンポジットには、遠赤外線放射作用があるので、当該メガネ１が頭部に装着された際に、頭部に対して遠赤外線が放射され、健康増進効果がもたらされる。
以下に遠赤外線効果のメカニズムを述べる。
人体は、身体組成の６０％は水分、２５％は炭素であり、３６．５℃の平均体温で常に１０ミクロンの遠赤外線を放射している。従って、人体の皮膚に等方性高密度炭素材やＣ／Ｃコンポジットなどの炭素材が触れたり近づいたりすると、人体が遠赤外線を吸収して加温される。すなわち、これら炭素材と人体との間で同じ波長の遠赤外線を放射し合い、炭素材は約３６．５℃を維持する一方で身体の中では水分子が激しく衝突して、この振動が運動エネルギーとなって、熱に変換され身体が加温される。
その結果、遠赤外線が皮下組織や血管などに作用して血流が改善されるが、本発明者によれば、抹消、中枢の血流に１５％の上昇効果があることが確認されている。また、これらの炭素材は、α波を発生して、身体を癒し健康増進に寄与する。
なお、テンプル２０，２０Ａや鼻パッド１０，１０Ａにおける皮膚に接触する部位２４，１１の全体を、Ｃ／Ｃコンポジットで構成してもよいし、当該部位２４，１１における一部のみをＣ／Ｃコンポジットで構成してもよい。
【００５０】
なお、Ｃ／Ｃコンポジットで構成した場合も、皮膚に接触する部位２４，１１の表面２５，１２を梨地状としてもよいことはいうまでもない。また該表面２５，１２に突起を設けてもよい。さらに、残余の部位２７，２７Ａ，１４，１４Ａに磁石２８，２８Ａ，１５，１５Ａを設けてもよい点は同様である。また、このように皮膚に接触する部位２４，１１をＣ／Ｃコンポジットで構成した場合においても、ＤＬＣコーティング層の形成や色付け処理、イオンプレーティング処理については、上記同様としてもよい。また、皮膚に接触する部位２４，１１と残余の部位２７，２７Ａ，１４，１４Ａに取り付ける態様も上記同様としてもよい。
【００５１】
本実施形態に係るメガネ１によれば、炭素材が放射する遠赤外線により健康増進効果を奏することができる。
すなわち、当該メガネ１は、テンプル２０，２０Ａと鼻パッド１０，１０Ａの少なくとも一つにおける、皮膚に接触する部位２４，１１を、等方性高密度炭素材又はＣ／Ｃコンポジットで構成している。
従って、炭素材である等方性高密度炭素材には、遠赤外線放射作用があるので、当該メガネ１が頭部に装着された際に、頭部に対して遠赤外線が放射され、上述の作用メカニズムにより健康増進効果がもたらされる。
また、等方性高密度炭素材が放射するα波により脳の疲れや眼精疲労を緩和することもできる。とりわけ、鼻パッド１０，１０Ａを等方性高密度炭素材にて構成すれば、鼻パッド１０，１０Ａが接触する顔面における目頭の下側の部位などにおいて、高い血流増進効果が得られるので、眼精疲労の回復に有益である。
さらに、等方性高密度炭素材は、腐食のおそれもなく、人体を形成する有機物の構成物質と同一の素材であるため、生体親和性が良好であり、人体への安全性が高く、金属アレルギーの心配もない。
また、炭素材であるＣ／Ｃコンポジットにも遠赤外線放射作用があるので、当該メガネ１が頭部に装着された際に、頭部に対して遠赤外線が放射され、健康増進効果がもたらされる。
【００５２】
さらに、本実施形態では、皮膚に接触する部位１１，２４を等方性高密度炭素材又Ｃ／Ｃコンポジットで構成したテンプル２０，２０Ａ及び（又は）鼻パッド１０，１０Ａにおいて、皮膚に接触する部位１１，２４と、残余の部位１４，１４Ａ，２７，２７Ａと、が互いに別体として形成されており、皮膚に接触する部位１１，２４が残余の部位１４，１４Ａ，２７，２７Ａに取り付けられる構成とされている。
従って、これらテンプル２０，２０Ａ及び（又は）鼻パッド１０，１０Ａにおける皮膚に接触する部位１１，２４を、既製品であるメガネのテンプルや鼻パッド（本発明における残余の部位として把握する）に対して、取り付けることが可能となる。これにより、メガネ１を装着する状況や装着者などに応じて、必要な時に、遠赤外線効果を有するこれら皮膚に接触する部位１１，２４を、種々の既製品のメガネに取り付けて使用することが可能となる。
【００５３】
テンプル２０，２０Ａ及び（又は）鼻パッド１０，１０Ａの少なくとも一つにおいて、残余の部位１４，１４Ａ，２７，２７Ａを、ポリプロピレン等の熱可塑性樹脂に黒鉛などの炭化物の粒子状の炭素材を含有させたものとしてもよい。この場合、残余の部位１４，１４Ａ，２７，２７Ａは、ポリプロピレン等の熱可塑性樹脂に３〜１０μｍ、望ましくは３〜４μｍの黒鉛粒子を２０〜５０重量％を含有させ、射出成型により形成してもよい。
熱可塑性樹脂としては、上述の他、ポリスチレン、ポリアミド、ハロゲン化ビニル樹脂、ポリアセタール、ポリエステル、ポリカーボネート、ポリアリールスルホン、ポリアリールケトン、ポリフェニレンエーテル、ポリフェニレンスルフィド、ポリアリールエーテルケトン、ポリエーテルスルホン、ポリフェニレンサルファイドスルフォン、ポリアリレート、液晶ポリエステル、フッ素樹脂等が挙げられる。これらは単独又は２種以上組み合わせて用いてもよい。
この場合は、様々な形状に対応でき、残余の部位１４，１４Ａ，２７，２７Ａが含有する黒鉛粒子が放射する遠赤外線により健康増進効果を奏することができるだけではなく、熱可塑性樹脂により残余の部位１４，１４Ａ，２７，２７Ａの強度を向上させることができる。
【００５４】
次に、本発明の第２実施形態に係るメガネ１Ａについて、図４（ａ）〜（ｄ）を用いて説明する。なお、前述した第１実施形態及びその変形例との相違点を主に説明することとし、第１実施形態と同一の部材については、同一の符号を付して、その説明を省略するか又は簡略化する。
本実施形態に係るメガネ１Ａは、図４（ａ）〜（ｄ）に示すように、皮膚に接触する部位２４Ａ，１１Ａを等方性高密度炭素材又はＣ／Ｃコンポジットで構成したテンプル２０Ｂ及び（又は）鼻パッド１０Ｂは、その略全体が、皮膚に接触する部位２４Ａ，１１Ａと同一の材料で一体的に構成されている。
【００５５】
鼻パッド１０Ｂは、図４（ａ）及び（ｂ）に示すように、その略全体が、等方性高密度炭素材又はＣ／Ｃコンポジットで構成されており、皮膚に接触する部位１１Ａと残余の部位１４Ａとが一体的に形成されている。
テンプル２０Ｂも、図４（ｃ）及び（ｄ）に示すように、その略全体が、等方性高密度炭素材又はＣ／Ｃコンポジットで構成されており、皮膚に接触する部位２４Ａと残余の部位２７Ａとが一体的に形成されている。
図例では、テンプル２０Ｂの耳掛け部２２Ｂの略全体を等方性高密度炭素材で構成した例を示している。
【００５６】
このように、テンプル２０Ｂ及び（又は）鼻パッド１０Ｂの略全体を、等方性高密度炭素材又はＣ／Ｃコンポジットで構成する方法は、上記した方法を用いてもよい。
つまり、これらを等方性高密度炭素材で構成する場合は、テンプル２０Ｂや鼻パッド１０Ｂの形状の型を用いて、これら最終製造物を得るようにしてもよい。または、上記の方法にて等方性高密度炭素材で構成された原素材を製造し、これに適宜削り加工を施すことによって、テンプル２０Ｂや鼻パッド１０Ｂの最終製造物を得るようにしてもよい。
また、これらをＣ／Ｃコンポジットで構成する場合は、上記の方法にてＣ／Ｃコンポジットで構成された原素材を製造し、これに適宜削り加工を施すことによって、これら最終製造物を得るようにしてもよい。
【００５７】
これら鼻パッド１０Ｂ及び（又は）テンプル２０Ｂには、図４（ａ）〜（ｄ）に示すように上記した第１実施形態と同様に、突起１３，１３，２６や磁石１５，２８を設けてもよい。
なお、テンプル２０Ｂの場合、ツル本体２１及び耳掛け部２２Ｂの両者、又はいずれか一方、あるいは、これらのうちの一部の部位のみについて、その略全体を等方性高密度炭素材又はＣ／Ｃコンポジットで構成してもよい。また、鼻パッド１０Ｂの場合、鼻パッド１０Ｂを構成する一対の部位の両者、又は一方について、その略全体を等方性高密度炭素材又はＣ／Ｃコンポジットで構成してもよい。
【００５８】
本実施形態では、皮膚に接触する部位１１Ａ，２４Ａを等方性高密度炭素材又はＣ／Ｃコンポジットで構成したテンプル２０Ｂ及び（又は）鼻パッド１０Ｂは、その略全体が、皮膚に接触する部位１１Ａ，２４Ａと同一の材料で一体的に構成されている。つまりは、テンプル２０Ｂ及び（又は）鼻パッド１０Ｂの略全体を、等方性高密度炭素材又はＣ／Ｃコンポジットで構成している。
従って、テンプル２０Ｂや鼻パッド１０Ｂにおける複数の部位を別個に製造する必要がなくなるので、製造工程数を少なくすることができ、生産性が向上する。
具体的には、これらを等方性高密度炭素材で構成する場合は、テンプル２０Ａや鼻パッド１０Ｂの形状の型を用いて最終成果物を得たり、等方性高密度炭素材で構成された原素材を製造し、これに適宜削り加工を施して、簡易にこれら最終製造物を得ることができる。また、これらをＣ／Ｃコンポジットで構成する場合は、Ｃ／Ｃコンポジットで構成された前駆素材を製造し、これに適宜削り加工を施すことによって、これら最終製造物を簡易に得ることができる。
【００５９】
次に、本発明の第３実施形態に係るメガネ１Ｂについて、図５（ａ）〜（ｄ）を用いて説明する。
なお、前述した第１、第２実施形態及びその変形例との相違点を主に説明することとし、第１、第２実施形態と同一の部材については、同一の符号を付して、その説明を省略するか又は簡略化する。
本実施形態に係るメガネ１Ｂは、図５（ａ）〜（ｄ）に示すように、突起１３，１３，２６と、それ以外の部位とを別体に構成した例である。等方性高密度炭素材又はＣ／Ｃコンポジットで構成したテンプル２０Ｃ及び（又は）鼻パッド１０Ｃは、突起１３，１３，２６を含むその略全体が、皮膚に接触する部位２４Ｂ，１１Ｂと同一の材料で一体的に構成されている。
【００６０】
具体的には鼻パッド１０Ｃは、図５（ａ）及び（ｂ）に示すように、その略全体が、等方性高密度炭素材又はＣ／Ｃコンポジットで構成されており、皮膚に接触する部位１１Ｂと残余の部位１４Ｂとが一体的に形成されている。
テンプル２０Ｂも、図５（ｃ）及び（ｄ）に示すように、その略全体が、等方性高密度炭素材又はＣ／Ｃコンポジットで構成されており、皮膚に接触する部位２４Ｂと残余の部位２７Ｂとが一体的に形成されている。
図例では、テンプル２０Ｃの耳掛け部２２Ｃの略全体を等方性高密度炭素材で構成した例を示している。
【００６１】
このように、テンプル２０Ｃ及び（又は）鼻パッド１０Ｃの略全体を、等方性高密度炭素材又はＣ／Ｃコンポジットで構成する方法は、上記した方法を用いてもよい。
つまり、これらを等方性高密度炭素材で構成する場合は、テンプル２０Ｃや鼻パッド１０Ｃの形状の型を用いて、これら最終製造物を得るようにしてもよい。または、上記の方法にて等方性高密度炭素材で構成された原素材を製造し、これに適宜削り加工を施すことによって、テンプル２０Ｃや鼻パッド１０Ｃの最終製造物を得るようにしてもよい。
また、これらをＣ／Ｃコンポジットで構成する場合は、上記の方法にてＣ／Ｃコンポジットで構成された原素材を製造し、これに適宜削り加工を施すことによって、これら最終製造物を得るようにしてもよい。
【００６２】
これら鼻パッド１０Ｃ及び（又は）テンプル２０Ｃには、図５（ａ）〜（ｄ）に示すように突起１３，１３，２６や磁石１５，２８が設けられている。この実施形態では図５（ｂ）、図５（ｄ）に示すように断面略半球状の突起１３，１３，２６を別体で構成し、底面１３ａ，２６ａに凹所１３ｂ，２６ｂを設け、そこに円盤状で小粒の磁石１５，１５，２８を設けている。磁石１５，１５，２８を組み込んだ突起１３，１３，２６は、皮膚に接触する部位１１Ｂ，２４Ｂに貼着してもよいし、型成型であってもよい。突起１３，１３，２６は、等方性高密度炭素材又はＣ／Ｃコンポジットで形成され、等方性高密度炭素材で形成した場合は炭素純度が９０％以上である高密度で整った結晶構造のものが皮膚を押圧する状態で接触するので、より一層上述の遠赤外線効果、健康増進効果が期待できる。
なお、テンプル２０Ｃの場合、ツル本体２１及び耳掛け部２２Ｃの両者、又はいずれか一方、あるいは、これらのうちの一部の部位のみについて、その略全体を等方性高密度炭素材又はＣ／Ｃコンポジットで構成してもよい。
【００６３】
メガネ１，１Ａ，１Ｂの各部位の形状や寸法などは、図例のものに限定されず、種々の構成としてもよい。例えば、耳掛け部２２，２２Ａ，２２Ｂ，２２Ｃの一部のみが耳に接触する態様としてもよい。
また、メガネ１，１Ａ，１Ｂとしては、頭部に接触する部位である耳掛け部２２，２２Ａ，２２Ｂ，２２Ｃを設けたものであればよく、耳側端部２３は有さなくてもよい。
また、磁石１５，１５Ａ，２８，２８Ａは、鼻パッド１０，１０Ａ，１０Ｂ，１０Ｃやテンプル２０，２０Ａ，２０Ｂ，２０Ｃの残余の部位１４，１４Ａ，１４Ｂ，２７，２７Ａ，２７Ｂの所望の部位に設けてもよく、また、皮膚に接触する部位１１，１１Ａ，１１Ｂ，２４，２４Ａ，２４Ｂの所望の部位、例えば、突起１３，２６周囲などの部位に設けてもよい。
また、上記したような梨地や突起１３，２６、磁石は必ずしも設けなくてもよい。
また、テンプル２０，２０や鼻パッド１０に加えてレンズフレーム２も、等方性高密度炭素材や炭素繊維強化炭素複合材料、粒子状の炭素材を２０〜５０重量％含有した熱可塑性樹脂で構成してもよい。
【符号の説明】
【００６４】
１，１Ａ，１Ｂ                                メガネ
１０，１０Ａ，１０Ｂ，１０Ｃ                  鼻パッド
１１，１１Ａ，１１Ｂ，２４，２４Ａ，２４Ｂ    皮膚に接触する部位
１３，２６                                    突起
１４，１４Ａ，１４Ｂ，２７，２７Ａ，２７Ｂ    残余の部位
１５，１５Ａ，２８，２８Ａ                    磁石
２０，２０Ａ，２０Ｂ，２０Ｃ                  テンプル
【図１】
2018066157.tif 000003
【図２】
2018066157.tif 000004
【図３】
2018066157.tif 000005
【図４】
2018066157.tif 000006
【図５】
2018066157.tif 000007
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
テンプルと鼻パッドの少なくとも一つにおける、皮膚に接触する部位を、等方性高密度炭素材又は炭素繊維強化炭素複合材料で構成し、前記皮膚に接触する部位を除いた残余の部位を、粒子状の炭素材を２０〜５０重量％含有した熱可塑性樹脂で構成したことを特徴とするメガネ。
【請求項２】
請求項１において、
前記皮膚に接触する部位は、該部位を除いた前記残余の部位に取り付けられるように、該残余の部位とは別体として形成されていることを特徴とするメガネ。
【請求項３】
請求項１において、
前記テンプルと鼻パッドの少なくとも一つは、その略全体が、前記皮膚に接触する部位と同一の材料で一体的に構成されていることを特徴とするメガネ。
【請求項４】
請求項１〜３のいずれか１項において、
前記皮膚に接触する部位は、その表面が梨地状とされていることを特徴とするメガネ。
【請求項５】
請求項１〜４のいずれか１項において、
前記皮膚に接触する部位は、その表面に突起が設けられていることを特徴とするメガネ。
【請求項６】
請求項１〜５のいずれか１項において、
前記テンプルと鼻パッドの少なくとも一つには、磁石が設けられていることを特徴とするメガネ。
【手続補正２】
【補正対象書類名】明細書
【補正対象項目名】０００６
【補正方法】変更
【補正の内容】
【０００６】
上記目的を達成するために、本発明に係るメガネは、テンプルと鼻パッドの少なくとも一つにおける、皮膚に接触する部位を、等方性高密度炭素材又は炭素繊維強化炭素複合材料で構成し、前記皮膚に接触する部位を除いた残余の部位を、粒子状の炭素材を２０〜５０重量％含有した熱可塑性樹脂で構成したことを特徴とする。
【手続補正３】
【補正対象書類名】明細書
【補正対象項目名】０００７
【補正方法】削除
【補正の内容】
【国際調査報告】
2018066157.tif 000008
2018066157.tif 000009
2018066157.tif 000010
2018066157.tif 000011
2018066157.tif 000012